(57)【特許請求の範囲】
【請求項１】
エレベータの昇降路内に設けられる乗りかごの動作を制御する制御盤システムにおいて、
既に設置されている既設制御ボックスを有する既設制御盤と、
新しく設置されるとともに新設制御ボックスを有する新設制御盤とを備え、
新設制御ボックスは既設制御ボックスに締結手段により固定され、
新設制御盤は、新設制御ボックスに連結され、配置される床に当接する足を有し、新設制御ボックスの足は、既設制御ボックス側に設けられることなく、既設制御ボックスと反対側に設けられ、締結手段は新設制御ボックス内から既設制御ボックス内へ貫通して設けられていることを特徴とする制御盤システム。
【請求項２】
新設制御盤は、新設制御ボックス内に組み込まれた部品を更に有し、新設制御ボックスは、部品を内部に嵌め込んだ状態で射出樹脂を射出することにより成形されることを特徴とする請求項１記載の制御盤システム。
【請求項３】
新設制御ボックスは、部品収納用ダクトを含むとともに、新設制御ボックスと部品収納用ダクトは射出樹脂から一体に成形されることを特徴とする請求項１記載の制御盤システム。
【請求項４】
新設制御盤は、新設制御ボックス内に組み込まれた電気機器取り付け台と、電気機器取り付け台に配置された部品とを有し、電気機器取り付け台は、部品を内部に嵌め込んだ状態で射出樹脂を射出することにより成形されることを特徴とする請求項１記載の制御盤システム。
【請求項５】
新設制御盤は、新設制御ボックス内に組み込まれた電気機器取り付け台を有し、この電気機取り付け台は部品収納用ダクトを含むとともに、電気機器取り付け台と部品収納用ダクトは射出樹脂から一体に成形されることを特徴とする請求項１記載の制御盤システム。
【発明の詳細な説明】
【技術分野】
【０００１】
本発明は、短期間かつ低価格で設置することのできるエレベータの制御盤システムに関する。
【背景技術】
【０００２】
一般に、エレベータ装置に対して、定期的にエレベータ装置のリニューアル工事が行われる。エレベータ装置のリニューアル工事は、交換部品の規模により工事内容や、工事期間が大幅に変わる。リニューアル工事の区分には、エレベータ装置を一式交換する全撤去リニューアル工事、部分的に部品を残す準撤去リニューアル工事及び制御系のみを交換する制御リニューアル工事がある。全撤去リニューアル工事及び準撤去リニューアル工事は工事期間が長期に渡り、費用も高くなる。さらに、これらのリニューアル工事では、工事期間中、フロアの利用が制約されたり、エレベータ装置を利用することができなくなるので、エレベータ装置利用者の生活に影響を与えてしまう。他方、制御リニューアル工事は制御系のみの交換であるので、工事の規模は小さく、工事期間は短期間でよく、費用も抑えられる。さらに、新しい制御盤を用いると、既設の制御盤よりも消費電力を抑えることができ、エレベータ装置の維持費用の低減も実現できる。
【０００３】
今後、エレベータ装置のリニューアル市場は今以上に活発になることは確実であり、リニューアル費用の低価格化への要求はより厳しくなると考えられる。そこで、制御盤を簡素化し、短期間かつ低価格で新たな制御盤を設置できるようにする必要がある。
【０００４】
次に、図７及び図８により、エレベータ装置のリニューアル工事の際の制御盤の交換作業について説明する。図７及ぶ図８に示すように、通常、リニューアル工事では新しい制御盤９が設置される。新しい制御盤９を設置する際、制御盤９を最上階の機械室2に搬送し、搬送した制御盤９を機械室２内の所定の場所に設置する。ここで、制御盤９は、鋼板製制御ボックス１０に電気・電子機器を組み込んだ精密品であり、大変重いものである。また、制御盤９は、高さが高いので、狭い階段では特に搬送が困難である。これらのことから、制御盤９の搬送を手作業で行うことは不可能である。図７に示すように、従来、制御盤９は、最上階の機械室２まで屋外クレーン１１を用いて運搬している。しかしながら、この方法では制御盤９を設置する工事が大規模になり、工事費用が高くなってしまう。
【０００５】
また、図８に示すように、新しい新設制御盤９を設置する方法には、既設制御盤１２を撤去し、既設制御盤１２に用いていた土台１３に新設制御盤９を設置する方法や、既設制御盤１２はそのまま放置しておき、新設制御盤９用に新たな土台１３を用意し、その土台１３に新設制御盤９を設置する方法がある。しかしながら、これらの方法では工事に長期間かかってしまい、工事費用も高くなってしまう。
【０００６】
他方、特開平9-20470には、新設制御盤を電気機器の用途に分けて分割し、機械室内で組み立てる分割制御盤についての発明が提案されている。この発明によると、新設制御盤を分割することによって、その大きさと重さを小さくすることができるので、人間のみの力で新設制御盤を搬送することができるようになる。
【特許文献１】特開平９-２０４７０
【発明の開示】
【発明が解決しようとする課題】
【０００７】
しかしながら、特開平９-２０４７０に記載の発明は、搬送に限定したものであり、新設制御盤を設置することについての記載はないため、短期間かつ低価格を実現する決定的な手段とは言えない。
【０００８】
本発明は、このような点を考慮してなされたものであり、エレベータ装置のリニューアル工事に際し、短期間かつ低価格で設置することのできる新設制御盤を備えた制御盤システムを提供することを目的とする。
【課題を解決するための手段】
【０００９】
本発明は、エレベータの昇降路内に設けられる乗りかごの動作を制御する制御盤システムにおいて、既に設置されている既設制御ボックスを有する既設制御盤と、新しく設置されるとともに新設制御ボックスを有する新設制御盤とを備え、新設制御ボックスは既設制御ボックスに締結手段により固定され、新設制御盤は、新設制御ボックスに連結され、配置される床に当接する足を有し、新設制御ボックスの足は、既設制御ボックス側に設けられることなく、既設制御ボックスと反対側に設けられ、締結手段は新設制御ボックス内から既設制御ボックス内へ貫通して設けられていることを特徴とする制御盤システムである。
【００１１】
本発明は、新設制御盤は、新設制御ボックス内に組み込まれた部品を更に有し、新設制御ボックスは、部品を内部に嵌め込んだ状態で射出樹脂を射出することにより成形されることを特徴とする制御盤システムである。
【００１２】
本発明は、新設制御ボックスは、部品収納用ダクトを含むとともに、新設制御ボックスと部品収納用ダクトは射出樹脂から一体に成形されることを特徴とする制御盤システムである。
【００１３】
本発明は、新設制御盤は、新設制御ボックス内に組み込まれた電気機器取り付け台と、電気機器取り付け台に配置された部品とを有し、電気機器取り付け台は、部品を内部に嵌め込んだ状態で射出樹脂を射出することにより成形されることを特徴とする制御盤システムである。
【００１４】
本発明は、新設制御盤は、新設制御ボックス内に組み込まれた電気機器取り付け台を有し、この電気機取り付け台は部品収納用ダクトを含むとともに、電気機器取り付け台と部品収納用ダクトは射出樹脂から一体に成形されることを特徴とする制御盤システムである。
【発明の効果】
【００１５】
本発明によれば、エレベータ装置のリニューアル工事に際し、短期間かつ低価格で設置することのできる新設制御盤を備えた制御盤システムを提供することができる。
【発明を実施するための最良の形態】
【００１６】
第１の実施の形態
以下、本発明に係る制御盤の実施の形態について、図１及び図２により説明する。ここで、図１は制御システム１００が組み込まれたエレベータ装置の全体を示す図であり、図２は本発明による制御システム１００の第１の実施の形態を示す図である。
【００１７】
まず、図１により、制御システム１００が組み込まれたエレベータ装置の全体について説明する。図１に示すように、エレベータ装置１は、エレベータの昇降路１ａ内に上下方向移動自在に設けられた乗りかご３と、乗りかご３に綱車6に巻きかけられたロープ５を介して接続された釣合重り４と、綱車６を回転させることにより乗りかご３を昇降させる巻上機７と、機械室２に配置されるとともに、巻上機７を制御する制御盤９、１２とを備えている。このうち、エレベータの昇降路１ａ上に設けられた機械室２内に配置されている。
【００１８】
制御盤９、１２のうち、制御盤９は新しく設置される新設制御盤９となり、制御盤１２は予め設置されている既設制御盤１２となる。こられの制御盤９、１２は、後述のようにエレベータの昇降路１ａ内に配置された乗りかご３を駆動する巻上機７を制御するものであり、本発明による制御盤システム１００を構成する。
【００１９】
次に、図２により、本発明による制御盤システム１００について更に詳述する。
【００２０】
図２に示すように、本実施の形態の制御盤システム１００は、既に機械室２内に設置されている既設制御ボックス３１を有する既設制御盤１２と、既設制御盤１２に隣接して新して設置されるとともに、新設制御ボックス３２を有する新設制御盤９とを備えている。ここで、新設制御ボックス３２は既設制御ボックス３１に締結手段１００ａにより固定されている。また、新設制御盤９は、新設制御ボックス３２底面に固定された足１４を有し、この新設制御盤９の足１４は、機械室２の床３０上に当接して新設制御ボックス３２を支持するようになっている。また、既設制御盤１２の既設制御ボックス３１は、機械室２の床３０上に土台１３を介して載置されている。
【００２１】
なお、新設制御盤９の新設制御ボックス３２を既設制御盤１２の既設制御ボックス３１に締結する締結手段１００ａとしては、例えば、既設制御ボックス３１の側面と新設制御ボックス３２の側面に穴加工を施し、既設制御ボックス３１の側面に開けられた穴と、新設制御ボックス３２の側面に開けられた穴とにボルトを通し、このボルトをナットで挿着すること方法が挙げられる。
【００２２】
次に、このような構成からなる本実施の形態の作用について述べる。
【００２３】
図２において、エレベータの昇降路１ａ上に設置された機械室２内において、既設制御ボックス３１を有する既設制御盤１２が予め配置されている。
【００２４】
図２において、エレベータ装置１のリニューアル工事の際、新設制御ボックス３２を有する新設制御盤９が、機械室２内に運び込まれ、この新設制御盤９が既設制御ボックス３１を有する既設制御盤１２の隣に配置される。このとき、新設制御盤９の新設制御ボックス３２は、足１４を介して機械室２の床３０上に支持される。
【００２５】
次に、既設制御盤１２の既設制御ボックス３１に、新しく設置される新設制御盤９の新設制御ボックス３２が締結手段１００ａにより締結され、このようにして新設制御盤９と既設制御盤１２とによって制御盤システム１００が構成される。
【００２６】
図１及び図２において、エレベータ装置１のリニューアル工事の際、既設制御盤１２を撤去する必要がなく、また、新設制御盤９を設置するための新設制御盤９用の土台１３を新たに設置する必要もない。このため、短期間かつ低価格で既設制御盤１２に隣接して新たな新設制御盤９を設置することができる。
【００２７】
また、図１に示すように、新設制御盤９の新設制御ボックス３２に連結されている足１４は、機械室２の床３０に当接しているため、新設制御盤９の新設制御ボックス３２を既設制御盤１２の既設制御ボックス３１に締結手段１００ａを介して締結しても、既設制御盤１２に新設制御盤９の余分な荷重を加えることがない。
【００２８】
第２の実施の形態
次に図３により本発明の第２の実施の形態について説明する。図３に示す第２の実施の形態は、新設制御盤９の構成が異なるのみであり、他は図１及び図２に示す第１の実施の形態と略同一である。
【００２９】
図３に示す第２の実施の形態において、図１及び図２に示す第１の実施の形態と同一部分には同一符号を付して詳細な説明は省略する。
【００３０】
図３において、新設制御盤９の新設制御ボックス３２内に端子台装置３４が配置されており、新設制御ボックス３２に配置された端子台装置３４は、端子台１５と、この端子台１５に取り付けられた端子台部品１６とからなっている。
【００３１】
上述のように、新設制御盤３２は、新設制御ボックス３２内に組み込まれた端子台装置３４を有し、新設制御ボックス３２は、端子台装置３４を内部に嵌め込むとともに、射出樹脂から成形されている。
【００３２】
なお、図３に示すように、端子台装置３４の端子台部品１６は、新設制御盤９の新設制御ボックス３２内に配置された部品（図示せず）に結線されている。この場合、端子台１５は、端子台部品１６を保持する機能を有する。
【００３３】
図３において、本実施の形態の新設制御ボックス３２の作成方法を示す。まず、新設制御ボックス３２を成型するための型を準備する。次に、端子台１５に端子台部品１６を組み込んで、端子台装置３４を形成し、準備した型に、端子台装置３４を嵌め込む。次に、端子台装置３４を嵌め込んだ型に樹脂を射出することにより、端子台装置３４を新設制御ボックス３２内に固定するとともに、樹脂製の新設制御ボックス３２を成形する。
【００３４】
図３において、上述のように新設制御ボックス３２は、端子台装置３４と一体となって成形される。このため、端子台装置３４の新設制御ボックス３２に対する位置がずれたり、端子台装置３４が新設制御ボックス３２から外れてしまう恐れはない。
【００３５】
また、新設制御ボックス３２は、樹脂から成形されているので、この新設制御ボックス３２を有する新設制御盤９の重さは全体的に軽くなっている。このため、エレベータ装置１のリニューアル工事の際、新設制御盤９を建物の最上階にある機械室２まで運搬するため、屋外クレーン１１を用いることなく運搬することができ（図７参照）、新設制御盤９を短期間かつ低価格で設置することができる。
【００３６】
なお、本実施の形態では、新設制御ボックス３２内に組み込まれる部品として端子台１５と端子台部品１６とからなる端子台装置３４を挙げたが、端子台装置３４の代わりに他の部品を新設制御ボックス３２内に組み込んでもよい。
【００３７】
第３の実施の形態
次に図４により本発明の第３の実施の形態について説明する。図４に示す第３の実施の形態は、新設制御盤９の構成が異なるのみであり、他は図１及び図２に示す第１の実施の形態と略同一である。図４において、新設制御盤９の新設制御ボックス３２は、配線ダクト１８を含むとともに、射出樹脂から成形されている。
【００３８】
図４に示す第３の実施の形態において、図１及び図２に示す第１の実施の形態と同一部分には同一符号を付して詳細な説明は省略する。
【００３９】
図４において、本実施の形態の新設制御ボックス３２の作成方法を示す。まず、新設制御ボックス３２と配線ダクト１８とを一体成型するための型を準備する。次に、準備した型に樹脂を射出することにより、端子台部品１６を含む新設制御ボックス３２を成形することができる。
【００４０】
図４に示すように、エレベータ装置１のリニューアル工事の際、このように成形された新設制御ボックス３２の配線ダクト１８内に、配線３３が配置される。
【００４１】
図４において、配線ダクト１８を含む新設制御ボックス３２は、樹脂から成形されているので、新設制御ボックス３２を有する新設制御盤９の重さは全体的に軽くなっている。このため、エレベータ装置１のリニューアル工事の際、新設制御盤９を建物の最上階にある機械室２まで運搬するため、屋外クレーン１１を用いることなく運搬することができ（図７参照）、新設制御盤９を短期間かつ低価格で設置することができる。
【００４２】
第４の実施の形態
次に図５及び図６により本発明の第４の実施の形態について説明する。図５及び図６において、第４の実施の形態は、新設制御盤９の構成が異なるのみであり、他は図１及び図２に示す第１の実施の形態と略同一である。
【００４３】
図５及び図６に示す第４の実施の形態において、図１及び図２に示す第１の実施の形態と同一部分には同一符号を付して詳細な説明は省略する。
【００４４】
図５及び図６において、新設制御盤９は、樹脂製の新設制御ボックス３２内に組み込まれている。この場合、新設制御盤９は、配線ダクト１８を含む電気機器取り付け台１９と、電気機器取り付け台１９に配置された端子台装置３４とを有している。また、この端子台装置３４は、端子台１５と、この端子台１５に取り付けられた端子台部品１６とからなっている。ここで、電気機器取り付け台１９は、射出樹脂から成形され、端子台装置３４は電気機器取り付け台１９内部に嵌め込まれている。
【００４５】
なお、端子台装置３４の端子台部品１６は、新設制御盤９の新設制御ボックス３２内に配置された部品（図示せず）に結線されている。この場合、端子台１５は端子台部品１６を保持する機能を有する。
【００４６】
図５及び図６において、本実施の形態における新設制御ボックス３２の作成方法について述べる。
【００４７】
まず、電気機器取り付け台１９と配線ダクト１８とを一体成型するための型を準備する。次に、端子台１５に端子台部品１６を組み込んで端子台装置３４を形成する。次に、準備した型に、端子台装置３４を嵌め込む。次に、端子台装置３４を嵌め込んだ型に樹脂を射出することにより、端子台装置３４と樹脂製の配線ダクト１８とが一体に組み込まれた電気機器取り付け台１９を成形することができる。
【００４８】
次に、このようにして端子台装置３４と配線ダクト１８とが一体に組み込まれた樹脂製の新設制御ボックス３２内に配置して固定することにより、新設制御盤９を成形する。
【００４９】
エレベータ装置１のリニューアル工事の際、このように成形された新設制御ボックス３２の配線ダクト１８内に、配線３３が配置される。
【００５０】
図５及び図６において、上述のように新設制御ボックス３２内に配置されて固定された電気機器取り付け台１９は、端子台装置３４と一体となって成形される。このため、電気機器取り付け台１９内で端子台装置３４の位置がずれたり、端子台装置３４が電気機器取り付け台１９から外れてしまう恐れはない。
【００５１】
また、配線ダクト１８を含む電気機器取り付け台１９は、樹脂により成形されているとともに、電気機器取り付け台１９が取り付けられる新設制御ボックス３２は樹脂製となっている。このため、この電気機器取り付け台１９が固定された新設制御ボックス３２を含む新設制御盤９の重さは全体的に軽くなっている。そのため、エレベータ装置のリニューアル工事の際、新設制御盤９を建物の最上階にある機械室２まで運搬するため、屋外クレーン１１を用いることなく運搬することができ（図７参照）、新設制御盤９を短期間かつ低価格で設置することができる。
【００５２】
また、新設制御ボックス３２と電気機器取り付け台１９とを別々に射出成型して新設制御ボックス３２と電気機器取り付け台１９とを成形するので、新設制御ボックス３２を電気機器取り付け台１９とを一体成形する場合に比べ、製造設備及び組み立てラインを簡略化することができる。
【００５３】
なお、本実施の形態では、新設制御ボックス３２内に組み込まれる部品として端子台１５と端子台部品１６とからなる端子台装置３４を挙げたが、端子台装置３４の代わりに他の部品を新設制御ボックス３２内に組み込んでもよい。
【図面の簡単な説明】
【００５４】
【図１】エレベータ装置の基本構成を示した構成図。
【図２】本発明による制御盤システムの第１の実施の形態を示す構成図。
【図３】本発明による制御盤システムの第２の実施の形態を示す構成図。
【図４】本発明による制御盤システムの第３の実施の形態を示す構成図。
【図５】本発明による制御盤システムの第４の実施の形態を示す構成図。
【図６】図５のＶＩ−ＶＩ断面図。
【図７】新設制御盤の搬送方法を示した構成図。
【図８】新設制御盤と土台との関係を示した構成図。
【符号の説明】
【００５５】
１    エレベータ装置
１ａ    エレベータの昇降路
２    機械室
３    乗りかご
４    釣合重り
５    ロープ
６    綱車
７    巻上機
９    新設制御盤
１２    既設制御盤
１３    土台
１４    足
１５    端子台
１６    端子台部品
１８    配線ダクト
１９    電気機器取り付け台
３０    床
３１    既設制御ボックス
３２    新設制御ボックス
３３    配線
３４    端子台装置
１００    制御盤システム
１００ａ    締結手段
【図１】
0004817762.tif 000002
【図２】
0004817762.tif 000003
【図３】
0004817762.tif 000004
【図４】
0004817762.tif 000005
【図５】
0004817762.tif 000006
【図６】
0004817762.tif 000007
【図７】
0004817762.tif 000008
【図８】
0004817762.tif 000009